(57)【要約】【課題】オンライン新聞を更新する場合において、編集者の負荷の低減を図る共にリアルタイム性を高め、より有効な情報の提供を可能とすること。【解決手段】本発明のオンライン新聞更新システムは、編集者端末によって作成又は更新された記事を通信ネットワーク１０を介して受信する記事受信部２８と、受信された記事からキーワードを抽出するキーワード抽出部３０と、抽出されたキーワードに関連する情報を、通信ネットワークを介して閲覧可能なサイトから取得する関連情報取得部３２と、この取得された情報が無許可で掲載可能であるか否かを判定する掲載可能判定部３４と、無許可で掲載可能と判定された場合には、該情報と記事とを用いてオンライン新聞を更新する紙面更新部３６と、無許可で掲載可能では無いと判定された場合には、該情報の情報の作成元に問い合わせを行う掲載可能問合部３８とを備えている。【選択図】      図１
2005267385.tif 000002
【特許請求の範囲】
【請求項１】
通信ネットワークを介して閲覧可能なオンライン新聞を更新する方法であって、
前記オンライン新聞に掲載される記事が編集者端末によって作成または更新されると、この記事から、予め定めた規則にしたがってキーワードを抽出し、この抽出されたキーワードに関連する情報を、前記通信ネットワークを介して閲覧可能なサイトから取得し、この取得した情報が無許可で掲載可能である場合には、この情報と前記記事とを用いて前記オンライン新聞を更新し、無許可で掲載可能では無い場合には、この情報の作成元に問い合わせを行い、掲載許可を得た場合には、この情報と前記記事とを用いて前記オンライン新聞を更新するようにした方法。
【請求項２】
請求項１に記載の方法において、
前記通信ネットワークを介して読者端末から前記オンライン新聞の閲覧要求があった場合には、前記オンライン新聞に掲載される記事を、予め定めた紙面レイアウトにしたがって配置することによって紙面データを更新し、この更新された紙面データを、前記通信ネットワークを介して前記読者端末から表示させるようにした方法。
【請求項３】
請求項１または請求項２に記載の方法において、
前記閲覧可能なサイトとは、前記編集者端末とは別の編集者端末である方法。
【請求項４】
請求項１乃至３のうち何れか１項に記載の方法において、
前記読者端末と前記編集者端末とは同一、または別の端末である方法。
【請求項５】
請求項１乃至４のうち何れか１項に記載の方法において、
前記記事は、前記編集者端末を操作する編集者と、前記読者端末を操作する読者とで共有される共通情報である方法。
【請求項６】
請求項５に記載の方法において、
前記編集者と前記読者とはそれぞれ単数または複数であり、前記編集者と前記読者とは同一人物でありうる方法。
【請求項７】
請求項５または請求項６に記載の方法において、
前記共通情報とは、前記編集者と前記読者とのうちの何れかによってなされるイベントの情報である方法。
【請求項８】
請求項７に記載の方法において、
前記イベントの情報は、該イベントの開催内容情報、参加者の募集情報、および該イベントの結果情報のうちの少なくとも何れかを含む方法。
【請求項９】
請求項８に記載の方法において、
前記結果情報は、該イベントが行われている会場に予め設けられているイベント管理装置の端末から、前記通信ネットワークを介して前記イベントの進行とともに更新されるようにした方法。
【請求項１０】
請求項９に記載の方法において、
前記イベント管理装置は、イベント利用者の過去の利用実績および該利用時における利用結果を、イベント利用者の識別情報に関連付けて蓄積した利用実績データベースに備えており、
前記イベント管理装置に前記識別情報を提示すると、この提示された識別情報に関連付けられている利用実績および利用結果が、前記イベント管理装置によって、前記イベントの情報として取得されるようにした方法。
【請求項１１】
請求項８乃至１０のうち何れか１項に記載の方法において、
前記イベントとは競技である方法。
【請求項１２】
請求項５または請求項６に記載の方法において、
前記共通情報とは、前記編集者と前記読者とが共に有する趣味に関する情報である方法。
【請求項１３】
通信ネットワークを介して閲覧可能なオンライン新聞を更新するシステムであって、
編集者端末によって作成または更新された前記オンライン新聞に掲載される記事を前記通信ネットワークを介して受信する記事受信手段と、
前記記事受信手段によって受信された記事から、予め定めた規則にしたがってキーワードを抽出するキーワード抽出手段と、
前記キーワード抽出手段によって抽出されたキーワードに関連する情報を、前記通信ネットワークを介して閲覧可能なサイトから取得する関連情報取得手段と、
前記関連情報取得手段によって取得された情報が無許可で掲載可能であるか否かを判定する判定手段と、
前記判定手段によって、無許可で掲載可能と判定された場合には、該情報と前記記事とを用いて前記オンライン新聞を更新する第１の更新手段と、
前記判定手段によって、無許可で掲載可能では無いと判定された場合には、該情報の情報の作成元に問い合わせを行う問合手段と、
前記問合手段の問い合わせに対して前記作成元から掲載許可が得られた場合には、該情報と前記記事とを用いて前記オンライン新聞を更新する第２の更新手段と
を備えたシステム。
【請求項１４】
請求項１３に記載のシステムにおいて、
読者端末からの前記オンライン新聞の閲覧要求を前記通信ネットワークを介して受信する閲覧要求受信手段と、
前記閲覧要求受信手段によって閲覧要求が受信された場合には、前記オンライン新聞に掲載される記事を、予め定めた紙面レイアウトにしたがって配置することによって紙面データを更新する紙面データ更新手段と、
前記紙面データ更新手段によって更新された紙面データを、前記通信ネットワークを介して送信し、前記読者端末から表示させるようにした紙面データ送信手段と
を備えたシステム。
【請求項１５】
通信ネットワークを介して閲覧可能なオンライン新聞を更新するプログラムであって、
編集者端末によって作成または更新された前記オンライン新聞に掲載される記事を前記通信ネットワークを介して受信する記事受信機能、
前記受信された記事から、予め定めた規則にしたがってキーワードを抽出するキーワード機能、
前記抽出されたキーワードに関連する情報を、前記通信ネットワークを介して閲覧可能なサイトから取得する関連情報取得機能、
前記取得された情報が無許可で掲載可能であるか否かを判定する判定機能、
前記判定機能によって、無許可で掲載可能と判定された場合には、該情報と前記記事とを用いて前記オンライン新聞を更新する第１の更新機能、
前記判定機能によって、無許可で掲載可能では無いと判定された場合には、該情報の情報の作成元に問い合わせを行う問合機能、
前記問い合わせに対して前記作成元から掲載許可が得られた場合には、該情報と前記記事とを用いて前記オンライン新聞を更新する第２の更新機能
をコンピュータに実現させるためのコンピュータ読み取り可能なプログラム。
【請求項１６】
請求項１５に記載のプログラムにおいて、
読者端末からの前記オンライン新聞の閲覧要求を前記通信ネットワークを介して受信する閲覧要求受信機能、
前記閲覧要求が受信された場合には、前記オンライン新聞に掲載される記事を、予め定めた紙面レイアウトにしたがって配置することによって紙面データを更新する紙面データ更新機能、
前記更新された紙面データを、前記通信ネットワークを介して送信し、前記読者端末から表示させるようにした紙面データ送信機能
をコンピュータに実現させるためのコンピュータ読み取り可能なプログラム。
【発明の詳細な説明】
【技術分野】
【０００１】
本発明は、インターネット等の通信ネットワークを介して作成および更新することが可能であり、例えば、共通の趣味や関心を持つ者同士の情報共有手段として好適なオンライン新聞を更新する方法、システム、及びプログラムに関する。
【背景技術】
【０００２】
従来、この種のオンライン新聞を発行している編集者は、自らの趣味、趣向、あるいは関心に沿った記事を掲載している。
【０００３】
この種のオンライン新聞の編集方法の一例としては、編集者が自己のＰＣを用いて、例えばＨＴＭＬ文書からなる記事を作成または更新し、この作成または更新した記事を、インターネット等の通信ネットワークを介してＷＥＢサーバに送信する。このＷＥＢサーバには、これら記事を配置し、オンライン新聞の紙面データを作成するための紙面レイアウトのテンプレートが保持されており、編集者は、このテンプレートを用いて、記事を配置することによって紙面データを作成する。なお、記事は、文書に限るものではなく、画像や、音声等も含まれる。
【０００４】
読者は、自己のＰＣから、インターネット等の通信ネットワークを介してこのＷＥＢサーバのサイトにアクセスし、この紙面データをブラウザを用いて表示することによって、オンライン新聞を閲覧することができる。
【発明の開示】
【発明が解決しようとする課題】
【０００５】
しかしながら、このような従来のオンライン新聞では、以下のような問題がある。
【０００６】
すなわち、この種のオンライン新聞の編集者は、半ば個人的な趣味でオンライン新聞の運営を行っている場合が多い。このため、新聞社等のような強力な情報収集能力も無く、また記事の作成および更新、更には紙面データの編集に多大な時間をかけられない。したがって、大多数の紙面は、時間の経過とともに更新頻度が低下し、紙面データの内容が古いものになって行くことはある程度避けられない。
【０００７】
また、半ば個人的な趣味でオンライン新聞の運営を行っている以上、同じ趣味、趣向、および関心を持つ他人と幅広く接触することが困難である。例えば有名人や著名人の場合はともかく、一般の人が運営者である場合は、サイトの発見自体も困難であるからである。
【０００８】
一方、この種のオンライン新聞は、共通の趣味や関心を持つ者同士の情報共有手段としても用いられている。同じ趣味を持つもの同士が合同で活動、例えば草野球の試合等を行い、その記録を記事として掲載するような場合である。この場合、試合記録を筆記や携帯端末へと一旦入力しておき、試合後の当日、あるいは後日にその結果をＨＴＭＬ等の文書に転載し、更にその文書をＰＣ等からインターネット等を介してＷＥＢサーバに転送することによってなされている。これでは、リアルタイムでの情報を提供することができない上に、編集者に対して新たな負荷をもたらしてしまう。
【０００９】
スポーツ等の結果を少ない労力で入力し、ホームページ等に素早く反映させる技術はすでにいくつか存在するが、スポーツの種目毎に個別に存在し、また個別チーム毎に用意されている訳ではない。また入力された結果を、対戦を行ったチーム間、さらに対戦に直接関わらなかった個人や団体の持つホームページで1つのデータを素早く共有し、それぞれを素早く更新する手段は存在しない。このため、例えばサッカーの試合を計画していたところ、当日になってメンバーが揃わなかったために、急遽バスケットの試合に変更する等、ある個人やスポーツチームが突然、別の競技の試合等を行うような場合、新たにその競技用の入力システムを探し出さねばならない。さらにまた、その結果を、今までのホームページに反映させることは多大な労力を要する。
【００１０】
本発明はこのような事情に鑑みてなされたものであり、他のサイトからの情報を活用することによって内容の充実を図ると共に、記事の作成および更新を容易にすることにより、編集者の負荷の低減を図る共に、リアルタイム性を高め、より有効な情報の提供を可能としたオンライン新聞の更新方法、更新システム、及びプログラムを提供することを目的とする。
【課題を解決するための手段】
【００１１】
上記の目的を達成するために、本発明では、以下のような手段を講じる。
【００１２】
すなわち、インターネット等の通信ネットワークを介して閲覧可能なオンライン新聞を更新する本発明では、オンライン新聞に掲載される記事が編集者端末によって作成または更新されると、この記事から、予め定めた規則にしたがってキーワードを抽出する。次に、この抽出されたキーワードに関連する情報を、通信ネットワークを介して閲覧可能なサイトから取得する。そして、この取得した情報が無許可で掲載可能である場合には、この情報と記事とを用いてオンライン新聞を更新し、無許可で掲載可能では無い場合には、この情報の作成元に問い合わせを行い、掲載許可を得た場合には、この情報と記事とを用いてオンライン新聞を更新する。
【００１３】
また、本発明では、更に、通信ネットワークを介して読者端末からオンライン新聞の閲覧要求があった場合には、オンライン新聞に掲載される記事を、予め定めた紙面レイアウトにしたがって配置することによって紙面データを更新し、この更新された紙面データを、通信ネットワークを介して読者端末から表示させる。
【００１４】
ここで、閲覧可能なサイトとは、一般的には、編集者端末とは別の編集者端末であり、例えば、新聞社のサイトや、ネットショップ、ポータルサイト等が該当する。また、読者端末と編集者端末とは同一であっても、別の端末であっても良い。端末の型式としては、ＰＤＡや携帯電話等の携帯端末が好適である。更に、編集者は、一人の場合も、複数人の場合もありうる。読者もまた然りである。編集者と読者とが同一人物である場合も除外しない。
【００１５】
また、ここで記事とは、編集者端末を操作する編集者と、読者端末を操作する読者とで共有される共通情報が好適であり、例えば、編集者と読者らによってなされるイベントの情報や、趣味の情報や、サークルの活動情報等が該当する。イベントの情報としては、該イベントの開催内容情報、参加者の募集情報、および該イベントの結果情報等を含む。イベントの結果情報とは、例えば、スポーツ等の競技を行った場合、競技の進行と共に時々刻々と得られる競技の進行情報が該当する。
【００１６】
このような結果情報は、イベント会場に予め設けられているイベント管理装置の端末から、通信ネットワークを介してイベントの進行とともに送られるようにしても良い。イベント管理装置とは、具体的には、ボーリング場、ゴルフ場、あるいはカラオケボックスのスコア管理装置が相当する。
【００１７】
イベント管理装置は、イベント利用者の過去の利用実績および該利用時における利用結果を、イベント利用者の識別情報に関連付けて蓄積した利用実績データベースを備え、利用者から識別情報が提示されると、この提示された識別情報に関連付けられている利用実績および利用結果を利用実績データベースから検索し、イベントの情報として提供するようにしても良い。
【００１８】
また、ユーザが特定の市販商品に関連する記事が記述された場合、ネットショップの該当商品ページへのリンクもオンライン紙面に付加しても良い。
【発明の効果】
【００１９】
本発明によれば、編集者が作成又は更新した記事と、世間一般に広く流布する情報の中からユーザの趣味、趣向、あるいは関心に合う記事とをオンライン新聞に掲載することにより、内容の充実を図ることが可能となる。
【００２０】
また、別のオンライン新聞の編集者同士が記事を融通しあい、記事量の低下を防ぐことも可能となる。
【００２１】
更に、編集者自身が特定の趣味を持つ場合、それらを記録し、素早く、しかも負荷の少ない方法で紙面データに反映させることができるので、オンライン新聞のリアルタイム性を高め、より有効な情報を提供することが可能となる。
【００２２】
更にまた、ネットショップ等の他のサイトへのリンク情報を付加することにより、更に多くの情報をユーザのオンライン新聞に盛り込むことが可能となる。
【発明を実施するための最良の形態】
【００２３】
以下に、本発明を実施するための最良の形態について図面を参照しながら説明する。
【００２４】
（第１の実施の形態）
本発明の第１の実施の形態を説明する。
【００２５】
図１は、第１の実施の形態に係るオンライン新聞更新方法を適用したオンライン新聞更新システムが適用されるネットワーク環境の一例を示す概念図である。
【００２６】
すなわち、本実施の形態に係るオンライン新聞更新システムは、例えばインターネットのような通信ネットワーク１０を介して更新可能なオンライン新聞を更新するシステムであり、センター１２内に設けられたサーバ１４によって実現される。具体的には、例えば磁気ディスク等の記憶媒体に記録されたプログラムや、インターネット等の通信ネットワーク１０を介してダウンロードしたプログラムによって動作が制御されることによってなされる。
【００２７】
この通信ネットワーク１０には、センター１２の他に、複数の編集者端末５２（＃１〜＃ｎ：ｎは整数）、複数の読者端末５４（＃１〜＃ｍ：ｍは整数）、単数または複数の新聞社システム５６、および単数または複数の店舗・遊技場システム５８（＃１〜＃ｐ：ｐは整数）が接続している。
【００２８】
編集者端末５２は、オンライン新聞に掲載する記事情報の作成および更新を行う編集者用の端末であり、記事情報の作成および更新を行うと、この記事情報を通信ネットワーク１０を介してサーバ１４へと送信する。また、サーバ１４によって提供されるオンライン新聞の閲覧や、通信ネットワーク１０を介してなされるサーバ１４との種々のデータの送受信が可能なブラウザ機能を備えている。また、時計機能、各種計測機器等を備えていても良い。
【００２９】
本発明でいうオンライン新聞とは、インターネット等の通信ネットワーク１０を介して作成および更新することが可能であり、例えば、共通の趣味、趣向、あるいは関心を持つ者同士の効果的な情報共有ツールとして用いることを念頭においている。したがって、編集者とは、これらを主催する主催者的な立場の人であり、共有すべき情報としては、趣味の会の会合、スポーツ競技等の練習や試合といったイベントの開催内容情報、参加者の募集情報、試合等の結果情報等が該当する。また、それらに関連する一般情報もまた共有情報に相当しうる。例えば、草野球チームの活動情報を共有するために本オンライン新聞を用いる場合、単に練習や練習の日時、場所、結果の連絡のみにとどめるに限らず、対戦相手チームの募集や、高校野球、プロ野球、あるいはメジャーリーグに関するトピックを適宜掲載するようにすることも含めてよい。
【００３０】
読者端末５４は、サーバ１４によって提供されるオンライン新聞を閲覧する読者用の端末であり、サーバ１４によって提供されるオンライン新聞の閲覧や、通信ネットワーク１０を介してなされるサーバ１４との種々のデータの送受信が可能なブラウザ機能を備えている。
【００３１】
なお、編集者と読者とは必ずしも別人である必要はなく、同一人物である場合もありうる。編集者端末５２と読者端末５４とが備えている機能は基本的には同一であるので、編集者と読者とが同一人物である場合には、編集者端末５２が編集者端末５２の機能に加えて読者端末５４の機能を、または読者端末５４が読者端末５４の機能に加えて編集者端末５２の機能をそれぞれ備えるようにすればよい。また、読者端末５４および編集者端末５２は、固定式のＰＣのみならず、ＰＤＡやネットワーク機能付きの携帯電話等の携帯端末ならびに通信機能を持つ各種機器を適用しうる。
【００３２】
新聞社システム５６は、新聞社のオペレータが新聞紙面を作成するために使用する端末５７ａと、新聞紙面に掲載するための情報を格納しているサーバ５７ｂとを備えている。何れも通信ネットワーク１０に接続されており、通信ネットワーク１０を介してのデータの送受信を可能としている。
【００３３】
店舗・遊技場システム５８は、ボーリング場、ゴルフ場、或いはカラオケボックス等に備えられ、通信ネットワーク１０に接続され、この通信ネットワーク１０を介したデータの送受信が可能な端末５９（＃ａ）を備えている。更には、この端末５９（＃ａ）に加えて、内部ネットワーク５９（＃ｂ）を介して接続されたイベント管理装置５９（＃ｃ）と、イベント管理装置５９（＃ｃ）に接続された利用実績データベース５９（＃ｄ）とを備えている場合もある。
【００３４】
イベント管理装置５９（＃ｃ）とは、具体的には、ボーリング、ゴルフ、あるいはカラオケのスコアをリアルタイムでつけるスコア管理装置に相当する。利用実績データベース５９（＃ｄ）は、利用者の過去の利用実績および該利用時における利用結果を、利用者の識別情報に関連付けて蓄積しており、イベント管理装置５９（＃ｃ）からの要求に応じて適宜比較等のために取り出される。
【００３５】
ネットショップシステム６０は、ネットショップオペレータが商品へのリンク情報をセンター１２のサーバ１４に送信する端末６０ａと、商品販売ページが格納されたサーバ６０ｂとを備えている。既存のネットショップには大手企業が運営するネットモールの形態が存在し、サーバ６０ｂが端末６０ａから遠隔地に存在し、１つのサーバ６０ｂで数多くの販売店の商品販売ページを格納している場合もあるが、その場合も本実施の形態で示すネットショップシステムの一形態である。
【００３６】
センター１２は、サーバ１４の他に、複数の端末１６（＃１〜＃ｎ）と、これら複数の端末１６（＃１〜＃ｎ）とサーバ１４とを接続している内部ネットワーク１８とを備えている。
【００３７】
図２は、サーバ１４の詳細構成例を示す機能ブロック図である。
【００３８】
サーバ１４は、例えばＨＴＴＰサーバ機能をもつアプリケーションサーバであり、制御部２０、通信部２２、ユーザ認証情報受信部２４、ユーザ認証部２６、記事受信部２８、キーワード抽出部３０、関連情報取得部３２、掲載可能判定部３４、紙面変更部３６、掲載可能問合部３８、閲覧要求受信部４０、紙面データ更新部４２、紙面データ送信部４４、ユーザ認証情報データベース４６、キーワード規則データベース４８、紙面レイアウトデータベース５０、および紙面情報データベース５１を備えている。既存のＷＷＷシステムを利用する場合、本発明のオンライン紙面は、このサーバ１４が提供するホームページの一形態となる。
【００３９】
通信部２２は、通信ネットワーク１０および内部ネットワーク１８に接続しており、通信ネットワーク１０および内部ネットワーク１８からの情報を受信して制御部２０に出力するとともに、制御部２０からの情報を、指定された送信先にしたがって通信ネットワーク１０または内部ネットワーク１８を介して送信先に送信する。
【００４０】
制御部２０は、サーバ１４が備えている上記各部位の機能の制御を司る部位であり、通信部２２からの情報を、その内容に応じて、適切な部位に転送し、関連する部位に必要な処理を行わせるとともに、上記部位のうちの何れかから出力された情報を、通信部２２から適切な送信先に送信させる。
【００４１】
通信ネットワーク１０を介して編集者端末５２、読者端末５４、新聞社システム５６、或いは店舗・遊技場システム５８からユーザ認証情報が送信されると、通信部２２がこれを受信し、制御部２０に出力する。ユーザ認証情報は、具体的には、図３に示すように、該当するオンライン新聞のタイトル１４１、ユーザ識別番号１４２ａ、パスワード１４２ｂ、ユーザＵＲＬ１４３、ユーザ電子メイルアドレス１４４、公開の希望有無１４５、主な活動１４６、活動地域１４７、好きなジャンル１４８、掲載希望有無１４９、生年月日１５０、性別１５１、コメント１５２があり、これらデータ項目は、一旦登録されたユーザについては、ユーザ認証情報データベース４６に格納されるようにしている。したがって、一旦登録したユーザであれば、ユーザ識別番号１４２ａとパスワード１４２ｂのみをユーザ認証情報として送信すればよい。
【００４２】
また、編集者や読者は個人に限定されない。たとえば草野球チーム、学校のクラス等の団体もありうる。この場合、ユーザ認証情報は、図４に示すようなデータ構成をとる。図４に示すユーザ認証情報は、図３に示すユーザ認証情報の生年月日１５０と性別１５１との代わりに、メンバ氏名１５４（＃１〜＃ｎ）、メンバ生年月日１５５（＃１〜＃ｎ）、メンバ性別１５６（＃１〜＃ｎ）、およびメンバ識別番号１５７（＃１〜＃ｎ）を付け加えた構成としている。
【００４３】
制御部２０は、通信部２２によって受信されたユーザ認証情報をユーザ認証情報受信部２４へと転送する。このようにして、ユーザ認証情報受信部２４は、ユーザ認証情報を取得する。
【００４４】
ユーザ認証部２６は、ユーザ認証情報受信部２４によって取得されたユーザ認証情報に含まれるユーザ識別番号１４２ａとパスワード１４２ｂとを、ユーザ認証情報データベース４６に格納されているユーザ認証情報に含まれるユーザ識別番号１４２ａとパスワード１４２ｂと比較する。そして、照合が取れた場合には、このユーザを認証し、記事情報の送信や、オンライン新聞の閲覧要求を受け付けるようにする。
【００４５】
通信ネットワーク１０を介して編集者端末５２から、オンライン新聞に掲載される記事情報が送信されると、通信部２２がこれを受信し、制御部２０に出力する。すると制御部２０は、この記事情報を記事受信部２８へと転送する。このようにして記事受信部２８は、編集者端末５２によって作成または更新された記事情報を受信する。
【００４６】
また、記事受信部２８は、店舗・遊技場システム５８のイベント管理装置５９（＃ｃ）によって管理されているリアルタイムスコア情報を、端末５９（＃ａ）から、順次受信する。これによって、イベントの進行とともに、そのスコア情報をほぼリアルタイムで取得するようにしている。また、イベント管理装置５９（＃ｃ）が利用実績データベース５９（＃ｄ）から取得した利用者別の過去の利用実績およびスコア情報を、端末５９（＃ａ）から受信することも可能としている。なお、これらの受信もまた、上記同様に、通信部２２と制御部２０とが介在することによってなされる。
【００４７】
キーワード抽出部３０は、記事受信部２８が記事情報を受信すると、キーワード規則データベース４８に格納されている規則にしたがって、この記事情報からキーワードを抽出する。
【００４８】
キーワードの抽出方法には、数多くの既存技術がある。例えば、項目毎に重み付けを行い、記事情報がどのような項目について記述されているのか、その傾向を記録する。重み付けの結果、複数の項目についての記述がなされている可能性もある。ただし、ある一定の重み以上がない場合はその項目については記述されていないと見なす。重み付けの手法も数多く存在するが、何れの手法を採用しても良い。これによって、キーワード検索のみならず、記事がいかなる項目について記述されているかというコンテクスト検索も可能としている。
【００４９】
この場合、キーワード規則データベース４８は、キーワードを格納するキーワードテーブルと、各キーワードがどのような項目に属する可能性があるかを示す項目テーブルと、記事テーブルとを備える。キーワードテーブルは、時間の推移と共に増加するものであって、以下のような構成をしている。  
キーワード識別番号（数値データ）・・・キーワードの識別番号。プライマリキー。  
キーワード        （文字列データ）・・キーワードの文字列。
【００５０】
また、項目テーブルは、以下のような構成をしている。  
項目識別番号      （数値データ）・・・項目の識別番号。プライマリキー。  
キーワード識別番号（数値データ）・・・キーワードの識別情報。プライマリキー。  
項目              （文字列データ）・・項目を表す文字列。
【００５１】
例えば、「豊島」というキーワードは、「環境問題」、「瀬戸内海」、「東京都」等といった項目に属するとし、また「ごみ」というキーワードは、「環境問題」等といった項目に属するとする。「環境問題」というキーワードも「環境問題」という項目に属する。そして、それらの重み付けの計算により、瀬戸内海の豊島なのか、東京都豊島区なのかを判別する。
【００５２】
記事テーブルは、以下のような構成している。  
ユーザ識別番号      （文字列データ）・・記事を作成したユーザ識別番号。プライマリキー。  
記事識別番号        （数値データ）・・・記事の識別番号。プライマリキー。  
項目識別番号        （数値データ）・・・項目の識別番号。プライマリキー。  
重み                （数値データ）・・・ある値の範囲（例えば０〜２５５）で表現される。
【００５３】
なお、キーワードの抽出方法は、勿論、ここでは上記した方法に限定されるものではなく、その他何れの方法を用いても構わない。
【００５４】
キーワード抽出部３０は、更にそのキーワードへの関連語句などのメタ情報を付け加える。具体的には、「ごみ」「不法投棄」等のキーワードを記事情報から抽出した場合、「環境」「公害」等の関連語句をその記事のメタ情報とし、記事の検索や掲載記事選定の一助とできるようにしている。この関連語句に関する一連の作業は、記事受信部２８によって受信された記事情報のみならず、後述する新聞社システム５６のサーバ５７ｂ、編集者端末５２（＃１〜＃ｎ）、読者端末５４（＃１〜＃ｍ）、店舗・遊技場システム５８（＃１〜＃ｐ）、および図示しないその他のサイトから検索された関連情報についても行う。
【００５５】
関連情報取得部３２は、キーワード抽出部３０によって抽出されたキーワードに関連する情報を、通信ネットワーク１０を介して閲覧可能なサイトから取得する。具体的には、キーワード抽出部３０によって抽出されたキーワードを、制御部２０へ出力し、更に通信部２２から、通信ネットワーク１０を介して、新聞社システム５６のサーバ５７ｂ、編集者端末５２（＃１〜＃ｎ）、読者端末５４（＃１〜＃ｍ）、店舗・遊技場システム５８（＃１〜＃ｐ）、および図示しないその他のサイトを対象とした検索を実行させる。そして、この検索結果を、関連情報として取得する。
【００５６】
掲載可能判定部３４は、関連情報取得部３２によって取得された情報が無許可で掲載可能であるか否かを判定する。この判定方法としては、例えば、取得された情報に付されている掲載可能・拒否フラグを参照することによって行う。しかしながら、この方法に限られるものではなく、他の方法であっても良い。
【００５７】
紙面変更部３６は、掲載可能判定部３４によって、無許可で掲載可能と判定された場合には、該関連情報と、この関連情報に対応する記事情報とを用いてオンライン新聞に掲載する情報を更新する。また、後述するように、掲載可能問合部３８からの問い合わせの結果、作成元から掲載許可が得られた場合にもまた、該関連情報と、対応する記事情報とを用いてオンライン新聞に掲載する情報を更新する。そして、これら更新した情報で、紙面情報データベース５１の内容を更新する。
【００５８】
抽出された該関連情報が特定商品についての記述であると判定された場合、ネットショップの該当商品ページへのリンク情報を紙面情報データベース５１に格納する。関連商品へのリンクデータの収集はネットショップシステム６０の端末６０ａからネットワーク１０を通じての提供、あるいはセンター１２内の端末１６による入力等がある。
【００５９】
掲載可能問合部３８は、掲載可能判定部３４によって、無許可で掲載可能では無いと判定された場合には、該関連情報の情報の作成元に問い合わせを行う。この問い合わせ処理の動作を図１１のデータ遷移図を用いて説明する。図１１は、編集者端末５２（＃ｗ）に対して掲載可能かどうかを問い合わせる場合を例に示している。
【００６０】
まず掲載可能問合部３８は、制御部２０に対して、該関連情報、この関連情報の出典先サイトの電子メイルアドレス、およびこの出典先情報に対して該関連情報の許可を要求する旨からなる問合情報を出力する（Ｓ６１）。
【００６１】
すると、制御部２０は、この問合情報に、問合元のオンライン新聞のアドレス情報を付加し、このアドレス情報が付加された問合情報を、出典先サイトの電子メイルアドレスに送信する（Ｓ６２）。このように、制御部２０が、確実に問合元のオンライン新聞のアドレス情報を自動的に付加するので、送信者自身がメイルを書く場合に良く起こるような、自分のアドレス情報を記載し忘れて、再度メイルを送信しなければならないといった二度手間を回避するようにしている。
【００６２】
出典先サイトである編集者端末５２（＃ｗ）では、この問合情報を受信する。そして、編集者端末５２（＃ｗ）の編集者は、この問合情報の内容を見て、問合元のオンライン新聞が自分の記事を掲載するにふさわしいと感じた場合は掲載許可を、ふさわしくないと感じた場合は掲載拒否を選択できる。そして、可否結果を電子メイルで返信することによって、この電子メイルが通信部２２によって受信される（Ｓ６３）。更に通信部２２から制御部２０へと出力され、更に制御部２０から掲載可能問合部３８へと転送される（Ｓ６４）。掲載可能問合部３８は、この返信メイルの内容を解析し、掲載の可否結果を判定し、この判定結果を、対応する関連情報とともに紙面変更部３６に出力する。
【００６３】
許可された場合、以後の問合元のオンライン紙面には、編集者端末５２（＃ｗ）が作成する記事情報も掲載可能となる。この場合、編集者端末５２（＃ｗ）が作成した記事情報は、サーバ１４において、動的に記事掲載を希望する編集者のオンライン新聞の紙面に埋め込まれるので、編集者端末（＃ｗ）を操作する編集者のように、転載を受けた側の記事編集には関与しない。このため、故意または過失による記事の書き換えや、記事を作成した編集者の名前等の書き換えを行うというような著作権問題を生じさせない。
【００６４】
なお、他の編集者に記事掲載の可否を問い合わせる場合、その問合はサーバ１４において自動的に行われるので、たとえばメイルアドレス等の情報の通知・表示を望まない編集者に対しては秘匿することを可能としている。
【００６５】
読者端末５４から、通信ネットワーク１０を介して、オンライン新聞の閲覧要求があった場合には、これは通信部２２によって受信され、制御部２０に出力される。すると、転送部２０がこの閲覧要求を閲覧要求受信部４０へと転送する。これによって、閲覧要求受信部４０は、読者端末５４からの閲覧要求を取得する。
【００６６】
閲覧要求受信部４０によって閲覧要求が取得されると、紙面データ更新部４２は、紙面情報データベース５１から情報を取得するとともに、紙面レイアウトデータベース５０から、予め定めておいたこのオンライン新聞の紙面レイアウトを取得する。そして、この紙面レイアウトにしたがって情報を配置することによって動的に紙面データを更新する。
【００６７】
紙面データ送信部４４は、紙面データ更新部４２によって更新された紙面データを、制御部２０に出力する。制御部２０は、この紙面データを、閲覧要求した読者端末５４へ送信するように、通信部２２に指示する。この指示に従って、通信部２２が通信ネットワーク１０を介して、この紙面データを、閲覧要求元の読者端末５４へと送信し、ここから表示させる。
【００６８】
ユーザ認証情報データベース４６は、編集者または読者である本発明のオンライン新聞のユーザを認証するために必要なユーザ認証情報を格納している。このユーザ認証情報としては、具体的には、図３に示すように、該当するオンライン新聞のタイトル１４１、ユーザ識別番号１４２ａ、パスワード１４２ｂ、ユーザＵＲＬ１４３、ユーザ電子メイルアドレス１４４、公開の希望有無１４５、主な活動１４６、活動地域１４７、好きなジャンル１４８、掲載希望有無１４９、生年月日１５０、性別１５１、コメント１５２がある。
【００６９】
キーワード規則データベース４８は、前述したように、キーワード抽出部３０が記事情報からキーワードを抽出する場合における規則を格納している。
【００７０】
紙面レイアウトデータベース５０は、予め定めておいたこのオンライン新聞の紙面レイアウトに関する情報を格納している。
【００７１】
紙面情報データベース５１は、オンライン新聞の紙面に掲載される情報を格納している。
【００７２】
次に、以上のように構成した本実施の形態に係るオンライン新聞更新方法を適用したオンライン新聞更新システムの動作について説明する。
【００７３】
まず、オンライン新聞を発行するためには、編集者および読者であるユーザが、編集者端末５２および読者端末５４からそれぞれ、サーバ１４に対して、ユーザ登録する必要がある。このユーザ登録処理の動作を図５のデータ遷移図を用いて説明する。
【００７４】
まず、ユーザが、編集者端末５２または読者端末５４（以下、単に「端末」と称する場合は、編集者端末５２と読者端末５４との両方を指しているものとする。）のブラウザ機能を用いて、サーバ１４に対して、ユーザ登録入力画面の送信要求を行う（Ｓ１）。この送信要求は、通信ネットワーク１０を介してサーバ１４の通信部２２によって受信され、更に制御部２０によってユーザ認証情報受信部２４に転送される。ユーザ認証情報受信部２４は、このようにして送信要求を取得すると、ユーザ識別番号１４２ａとパスワード１４２ｂとを発行し、図３に示すようなユーザ登録入力画面のデータを準備し、制御部２０に出力する（Ｓ２）。すると制御部２０は、通信部２２に対し、通信ネットワーク１０を介してこのデータを送信元の端末に対して送信させる（Ｓ３）。これによって端末の画面から図３に示すようなデータ登録入力画面が表示される。なお、ユーザが団体である場合には、図３の代わりに図４に示すようなデータ登録入力画面が表示される。
【００７５】
これに対してユーザが、必要事項を入力した後にサーバ１４に向けて返信する（Ｓ４）。この返信されたデータもまた、通信ネットワーク１０を介してサーバ１４の通信部２２によって受信され、更に制御部２０によってユーザ認証情報受信部２４に転送される。そして、ユーザ認証情報受信部２４によってこのデータがユーザ認証情報データベース４６に格納され（Ｓ５）、ユーザ登録が完了した旨が端末側に通知される（Ｓ６）。
【００７６】
このように一旦ユーザ登録をすると、それ以降、作成または更新した記事情報の登録のためにサーバ１４にアクセスする必要がある場合には、端末から、単にユーザ識別番号１４２ａとパスワード１４２ｂとを送信すれば、ユーザ認証部２６によって、この送信されたユーザ識別番号１４２ａとパスワード１４２ｂとが、ユーザ認証情報データベース４６に格納されているユーザ識別番号１４２ａとパスワード１４２ｂと照合され、一致した場合には、アクセスが許可される。
【００７７】
図６は、記事情報の更新時にサーバ１４から編集者端末５２に対して提供される表示画面の一例を示す模式図である。１０１が見出し部分であり、一覧表示される部分でもある。１０２が記事本文であり、読者が読者端末５４にて一覧の見出し文をクリックしたときに個別記事として読者端末５４の画面に表示される部分である。１０３が追加記事を入力する部分である。この部分は複数作られる場合もある。
【００７８】
次に、このように記事情報が作成または更新されたオンライン新聞を読者が閲覧要求する場合について説明する。
【００７９】
読者が閲覧要求する場合は、先ず読者は、読者端末５４からサーバ１４に対してオンライン新聞の閲覧要求を行う。この閲覧要求は、通信ネットワーク１０を介して通信部２２によって受信され、更に制御部２０によって閲覧要求受信部４０に転送される。このようにして閲覧要求受信部４０によって閲覧要求が取得されると、紙面データ更新部４２によって、紙面情報データベース５１から情報が取得されるとともに、紙面レイアウトデータベース５０から、予め定めておいたこのオンライン新聞の紙面レイアウトが取得される。そして、この紙面レイアウトにしたがって情報を配置することによって紙面データが動的に更新される。
【００８０】
その後、この更新された紙面データは、紙面データ送信部４４によって制御部２０に出力される。そして、制御部２０によって、閲覧要求した読者端末５４へ送信するように、通信部２２に指示される。この指示に従って、通信部２２が通信ネットワーク１０を介して、この紙面データを、閲覧要求元の読者端末５４へ送信することによって、閲覧要求元の読者端末５４から表示される。
【００８１】
なお、紙面データ更新部４２に機能を追加し、更に、閲覧要求した読者の趣向に基づいて、記事を付加することも可能としている。このように、閲覧要求した読者の趣向に基づいて、記事を付加した紙面データの作成時における動作を、図７に示すデータ遷移図を用いて説明する。
【００８２】
先ず読者は、読者端末５４からサーバ１４に対してオンライン新聞の閲覧要求を行う。このとき、ユーザ認証情報である自分の識別番号１４２ａおよびパスワード１４２ｂも入力する（Ｓ３１）。この閲覧要求およびユーザ認証情報は、通信ネットワーク１０を介して通信部２２によって受信され、更に制御部２０によって閲覧要求受信部４０およびユーザ認証部２６に転送される。このようにして閲覧要求受信部４０によって閲覧要求が取得されると、紙面データ更新部４２によって、紙面情報データベース５１から情報が取得される（Ｓ３２）。更に、ユーザ認証部２６によって、ユーザ認証情報が、ユーザ認証情報データベース４６に格納された情報と照合されることによってこのユーザが特定され、この読者の好きなジャンル１４８が読み込まれ、関連情報取得部３２へと送られる（Ｓ３３）。
【００８３】
そして、関連情報取得部３２によって、この読者の好きなジャンル１４８に関連する情報が、通信ネットワーク１０を介して閲覧可能なサイト、例えば新聞社システム５６のサーバ５７ｂ、編集者端末５２（＃１〜＃ｎ）、読者端末５４（＃１〜＃ｍ）、店舗・遊技場システム５８（＃１〜＃ｐ）、および図示しないその他のサイトから取得される（Ｓ３４）。
【００８４】
この取得された情報は、掲載可能判定部３４によって、無許可で掲載可能であるか否かが判定される。そして、無許可で掲載可能と判定された場合には、ステップＳ３４で取得された情報を用いてオンライン新聞に掲載する情報が更新される。一方、無許可で掲載可能では無いと判定された場合には、掲載可能問合部３８によって、作成元へと問い合わせが行われる。その結果、作成元から掲載許可が得られた場合にもまた、同様にしてオンライン新聞に掲載する情報が更新される。そして、これら更新した情報で、紙面情報データベース５１の内容が更新される（Ｓ３５）。
【００８５】
そして、紙面データ更新部４２によって、紙面レイアウトデータベース５０から、予め定めておいたこのオンライン新聞の紙面レイアウトが取得され、ステップ３２で取得された記事情報、およびステップＳ３５で更新された情報を、この紙面レイアウトに配置することによって紙面データが動的に更新される（Ｓ３６）。更に、この紙面データが、紙面データ送信部４４によって閲覧要求元の読者端末５４へと送信されることによって、閲覧要求元の読者端末５４から表示される（Ｓ３７）。
【００８６】
図８はこのようにして表示されたオンライン新聞の画面表示例を示す模式図である。この読者の好きなジャンル１４８に「大阪タイガース」、「西宮」が記載されていたことから、「魚崎キャッツスポーツ」と題されたオンライン新聞の紙面には、大阪タイガース情報１２０や、「連日スポーツ」が提供した「伊川３億円保留」の記事１２１、および「西宮ドランカーズ新聞」が提供した「西宮神社○○祭開催間近」の記事１２２がそれぞれ追加されている。
【００８７】
次に、本発明のオンライン新聞の適用例として、市民マラソン大会の参加者募集及び結果報告に用いた場合について説明する。
【００８８】
この場合、開催者は、上述したようなユーザ登録処理を行い、ユーザ認証情報データベース４６に予め図４に示すようなユーザ認証情報を登録しておく。そして、大会の開催要項（場所、時間、参加資格、参加費用等）が決定すると、開催者は、図９のデータ遷移図に示すように、自己が操作する編集者端末５２から、サーバ１４に対して、ユーザ識別番号１４２ａとパスワード１４２ｂとともに記事情報登録要求を送信する（Ｓ１１）。
【００８９】
すると、ユーザ認証部２６によって、この送信されたユーザ識別番号１４２ａとパスワード１４２ｂとが、ユーザ認証情報データベース４６に格納されているユーザ識別番号１４２ａとパスワード１４２ｂと照合され、一致した場合には、アクセスが許可され、編集者端末５２に対して許可通知がなされる（Ｓ１２）。
【００９０】
それに対して、開催者が編集者端末５２から開催場所、日時、参加申込方法等の開催要件を記事情報としてサーバ１４に対して送信する（Ｓ１３）。この記事情報は、通信ネットワーク１０を介してサーバ１４の通信部２２によって受信され、更に制御部２０によって記事受信部２８に転送される。更に、この記事情報は、記事受信部２８によって、ユーザ識別情報と関連付けられて紙面情報データベース５１に格納される。これによって、これら記事情報に基づいた大会開催者記事や参加申込記事が、開催者が発行するオンライン新聞に掲載されるようになる（Ｓ１４，Ｓ１５）。
【００９１】
一方、参加希望者は、このオンライン新聞を閲覧することによって、このマラソン大会の概要を知り、参加申し込み手続きをすることができる（Ｓ１６）。この場合、自己が操作する読者端末５４から閲覧要求を、通信ネットワーク１０を介してサーバ１４に対して出力する。この閲覧要求は、サーバ１４の通信部２２によって受信され、更に制御部２０によって閲覧要求受信部４０に転送される。すると、紙面データ更新部４２によって、紙面情報データベース５１から情報が取得されるとともに、紙面レイアウトデータベース５０から、予め定めておいたこのオンライン新聞の紙面レイアウトも取得される。そして、この紙面レイアウトにしたがって情報を配置することによって紙面データが動的に更新される。更に、紙面データ送信部４４によって、この更新された紙面データが、制御部２０へと出力される。そして、制御部２０によって、この紙面データを閲覧要求した読者端末５４へ送信するようにとの指示が通信部２２に対してなされる。この指示に従って、通信部２２が通信ネットワーク１０を介して、この紙面データを、閲覧要求元の読者端末５４へと送信することによって、参加希望者によって閲覧される。参加申し込み手続きは、この表示されたオンライン新聞の記事内容に従って必要事項を入力し、入力した内容をサーバ１４が画に送信することによってなされる。
【００９２】
開催者が予め個人用の申込み書式のみならず、団体から一括した申込みを受ける書式の両方を記事情報として作成しておくことにより、この参加申し込み手続きは、個人別のみならず、団体から一括して行うこともできる。図１０は、団体から一括した申込みを行う場合の入力画面の一例を示す図である。１６１が×××ランナーズクラブという団体の構成員の一覧である。構成員の中で出場者のチェック欄１６０のみにチェックをする。１６２は、構成員の識別番号である。
【００９３】
必要事項がサーバ１４によって受信されると、この情報が、サーバ１４が元々備えている送信機能を使って編集者端末５２へと送信されることによって参加申し込みが完了する（Ｓ１７）。
【００９４】
この参加申し込みに対して、開催者が自己の編集者端末５２を使って必要なデータエントリを行い、参加を許可した場合には、その情報が記事情報として編集者端末５２からサーバ１４へと送信され（Ｓ１８）、ステップＳ１４で作成された記事情報が更新され（Ｓ１９）、更に、この記事情報の参加希望者の読者端末５４への掲載が許可される（Ｓ２０）。更にまた、サーバ１４が元々備えている送信機能を使って、読者端末５４に対して参加を許可した旨を伝える情報が送信される（Ｓ２１）。これで、大会への参加申し込み処理が完了する。
【００９５】
そして、大会が開始されると、編集者端末５２からサーバ１４に対して、自己が操作する編集者端末５２から、サーバ１４に対して、ユーザ識別番号１４２ａとパスワード１４２ｂとともに記事情報登録（結果入力送信）要求を送信する（Ｓ２２）。
【００９６】
すると、ユーザ認証部２６によって、この送信されたユーザ識別番号１４２ａとパスワード１４２ｂとが、ユーザ認証情報データベース４６に格納されているユーザ識別番号１４２ａとパスワード１４２ｂと照合され、一致した場合には、アクセスが許可され、編集者端末５２に対して許可通知がなされる（Ｓ２３）。
【００９７】
それに対して、開催者が編集者端末５２から大会の結果が記事情報として随時サーバ１４に対して送信される（Ｓ２４）。この記事情報は、通信ネットワーク１０を介してサーバ１４の通信部２２によって受信され、更に制御部２０によって記事受信部２８に転送される。更に、この記事情報は、記事受信部２８によって、ユーザ識別情報と関連付けられて紙面情報データベース５１に格納される。これによって、大会の最新結果が、開催者が発行するオンライン新聞に掲載されるようになる（Ｓ２４，Ｓ２５）。
【００９８】
上述したように、本実施の形態に係るオンライン新聞更新方法を適用したオンライン新聞更新システムにおいては、上記のような作用により、編集者が作成又は更新した記事と、世間一般に広く流布する情報の中からユーザの趣味、趣向、あるいは関心に合う記事とをオンライン新聞に掲載することにより、内容の充実を図ることが可能となる。これによって、編集者と読者との交流の促進、出会いの円滑化を図ることが可能となる。
【００９９】
記事情報の更新は、編集者が日常の活動で使用する、例えば通信機能付きの携帯電話のような携帯端末から行うことができるので、情報を手軽に素早く更新することができる。また、他のサイトからの記事を掲載することができるので、記事量の低下を防ぐことも可能となる。したがって、編集者が、忙しい等の理由で、オンライン新聞をあまり更新できない場合であっても、記事内容の新鮮度を保つことができる。なお、他のサイトからの記事を活用する場合には、掲載可能なもの、あるいは許可を得たもののみを利用することができるので、著作権侵害問題を回避することができる。
【０１００】
更に、編集者自身が特定の趣味を持つ場合、それらを記録し、素早く、しかも負荷の少ない方法で紙面データに反映させることができるので、オンライン新聞のリアルタイム性を高め、より有効な情報を提供することが可能となる。
【０１０１】
具体的には、スポーツの対戦相手、イベント参加者の募集、申し込み、対戦日時・場所の決定、スコアボードの作成、試合開催の告知のオンライン紙面への掲載、スコア入力、リアルタイム途中経過・試合結果、通算成績のオンライン紙面への掲載までの一連のフローをサポートすることが可能となる。
【０１０２】
また、本実施の形態に記載したプログラム（ソフトウェア手段）は、計算機（コンピュータ）に実行させることができるものであって、例えば磁気ディスク（フロッピー（登録商標）ディスク、ハ一ドディスク等）、光ディスク（ＣＤ−ＲＯＭ、ＤＶＤ等）、半導体メモリ等の記憶媒体に格納し、またインターネット等の通信媒体により伝送して頒布することもできる。
【０１０３】
なお、記憶媒体に格納されるプログラムは、計算機に実行させるソフトウェア手段（実行プログラムのみならずテーブルやデータ構造も含む）を計算機内に構成させる設定プログラムをも含む。
【０１０４】
本プログラムは、記憶媒体から、あるいは通信媒体から計算機に読み込まれると、この計算機を動作させることによって上述した処理を実行させる。
【０１０５】
（第２の実施の形態）
本発明の第２の実施の形態を説明する。
【０１０６】
本実施の形態に係るオンライン新聞更新方法を適用したオンライン新聞更新システムは、第１の実施の形態に係るオンライン新聞更新方法を適用したオンライン新聞更新システムの一適用例を示すものであって、その構成を、第１の実施の形態に係るオンライン新聞更新方法を適用したオンライン新聞更新システムと同一とする。したがって、ここでは、構成に関する記載を省略する。
【０１０７】
本実施の形態では、第１の実施の形態で説明したようなオンライン新聞を用いてスポーツの対戦相手を募集し、対戦相手を決定し、対戦結果をリアルタイムで公開する場合に適用した例について図１２のデータ遷移図を用いて説明する。
【０１０８】
すなわち、ある編集者ｘが、スポーツチームＸのメンバ向けのオンライン新聞Ｘを発行しており、対外試合を希望する旨の関連記事を作成したものとする。この記事は、前述したように記事受信部２８によって受信されて紙面情報データベース５１に格納されるとともに、キーワード抽出部３０によって「対外試合」なるキーワードが抽出され、更にこのキーワードに基づく関連情報が関連情報取得部３２によって取得される。
【０１０９】
この場合、別の編集者ｙが主催しているスポーツチームＹでもまた対外試合を希望しており、編集者ｙがメンバ向けに発行しているオンライン新聞Ｙにその記事が掲載されていると、この記事が関連情報取得部３２によって取得され、編集者ｘが発行しているオンライン新聞Ｘに掲載されることになる。
【０１１０】
編集者ｘおよび編集者ｘが発行している読者であるスポーツチームＸのメンバは、この記事を閲覧することによって、スポーツチームＹが対外試合を希望していることを知ることができる。そして、編集者ｘは、編集者端末５２（＃ｘ）からサーバ１４にアクセスして、オンライン新聞Ｙに閲覧要求し（Ｓ４１）、この閲覧要求に対して戻されたオンライン新聞Ｙを閲覧する（Ｓ４２）。そして、対外試合申込み記事の内容に従って対戦希望情報を入力し、サーバ１４に対して通知する（Ｓ４３）。
【０１１１】
そして、この対戦希望情報が反映されることによってオンライン新聞Ｙが更新される（Ｓ４４）と、編集者ｙは、編集者端末５２（＃ｙ）から対戦希望情報を要求し（Ｓ４５）、サーバ１４から対戦希望情報を取得する（Ｓ４６）。編集者ｙは、この対戦希望情報に基づいて、対戦を受諾するか、拒否するかを検討し、編集者端末５２（＃ｙ）からサーバ１４に向けて検討結果を送信する（Ｓ４７）。
【０１１２】
これによって、オンライン新聞Ｙが更新され（Ｓ４８）、更に、これに伴って、オンライン新聞Ｘでもまた、キーワード抽出部３０によって「対外試合」なるキーワードが抽出され、更にこのキーワードに基づいてオンライン新聞Ｙの更新内容が関連情報取得部３２によって取得されることによってオンライン新聞Ｘもまた更新される（Ｓ４９）。これによって、スポーツチームＸのメンバは、この対戦希望が受諾されたか拒否されたかを知ることができる。
【０１１３】
対戦が受諾された場合には、編集者ｘは、編集者端末５２（＃ｘ）からサーバ１４にアクセスしてオンライン新聞Ｙを閲覧し、記事の内容に従って対戦カードを入力し、サーバ１４に対して出力する（Ｓ５０）。これによって、オンライン新聞Ｘの関連記事が更新される（Ｓ５１）。そして、この更新された関連記事は、オンライン新聞Ｙに対しても掲載許可がなされ（Ｓ５２）、更にオンライン新聞Ｙの記事であるスコア入力画面にチーム情報が書き込まれることによってスコア入力画面が生成される（Ｓ５３）。なお、ここでは、スポーツのスコア等と一括りに記事情報と呼んでおり、スコア入力画面は、記事入力画面の一形態である。図１３は、野球のスコア入力画面の一例である。このようなスコア入力画面は、携帯電話用に作成することも可能である。
【０１１４】
なお、図１２では、編集者ｘ側が対戦カード入力を行っているが、編集者ｙ側が行っても構わない。その場合、ステップＳ５１では、オンライン新聞Ｙの関連記事が更新され、ステップＳ５２は不要となる。
【０１１５】
対戦当日は、編集者ｘまたは編集者ｙは、オンライン新聞Ｙを閲覧し、ステップＳ５３で作成されたスコア入力画面にアクセスする（Ｓ５４）。なお、図１２では、編集者ｘが行う例を示している。これによって編集者端末５２（＃ｘ）にはスコア入力画面が表示される（Ｓ５５）。そして、このスコア入力画面に対して、編集者ｘが編集者端末５２（＃ｘ）からスコア情報を随時入力し（Ｓ５６）、サーバ１４に送信することによって、オンライン新聞Ｘの記事もまた随時更新される（Ｓ５７）。オンライン新聞Ｙの記事もまた随時更新されるようにすることが可能であり、この場合には、リアルタイムでオンライン新聞Ｙにも掲載される。通算成績もリアルタイムでアップデートでき、それをオンライン紙面Ｘ，Ｙに反映させることも可能である。
【０１１６】
これによって試合中も随時、試合経過が記録され、スポーツ新聞社の画面に多く見受けられるリアルタイム試合経過速報が実現される。更に編集者は、紙のスコアブックを記録し、帰宅後それをホームページに掲載するといった二度手間から開放される。スポーツ新聞社のリアルタイム試合経過速報は、全国的に注目度の高い試合のみに対して行われているが、この方式を利用すれば市井の人々の試合経過をオンライン新聞に掲載することも可能となる。
【０１１７】
上述したような対外試合のみならず、練習データの記録に適用することも勿論可能である。これは例えば、毎日ジョギングをする編集者が、マイクロコンピュータと通信機能とを備えた時計等の計測機器のデータを、そのまま記事のデータとして利用するようにして行うことができる。この場合、該計測機器を直接的にサーバ１４に接続する以外に、ＰＣ等に接続し、このＰＣに一旦データを蓄積させ、しかる後にこのＰＣからサーバ１４にデータを送信するようにしても良い。
【０１１８】
有名マラソン選手の場合、日々の練習が取材の対象になることが珍しいことではないが、本発明によって、一般市民ランナーも自らの練習記録を、素早く自らのオンライン新聞に手軽に反映することが可能となる。脈拍計等の機器を利用すれば健康管理に役立つデータを容易に収集できるようにもなる。
【０１１９】
更に、別の適用例としては、音楽のジャムセッションのメンバ募集に適用することも可能である。詳細な処理手順の記載は省略するが、図１２に示す手順において、編集者ｙがジャムセッションのメンバ募集を行う者、編集者ｘが、そのジャムセッションに参加を希望する者と置き換えることによって、適用可能であることが理解されよう。
【０１２０】
更にまた、イベントの参加や、観戦希望者への通知に、オンライン新聞をそのまま利用することが可能であることも言うまでもない。
【０１２１】
（第３の実施の形態）
本発明の第３の実施の形態を説明する。
【０１２２】
本実施の形態に係るオンライン新聞更新方法を適用したオンライン新聞更新システムもまた、第１の実施の形態に係るオンライン新聞更新方法を適用したオンライン新聞更新システムの一適用例を示すものであって、その構成を、第１の実施の形態に係るオンライン新聞更新方法を適用したオンライン新聞更新システムと同一とする。したがって、ここでもまた、構成に関する記載を省略する。
【０１２３】
本実施の形態では、第１の実施の形態で説明したようなオンライン新聞を用いて、店舗・遊技場システム５８と連携した例について説明する。
【０１２４】
図１４は、公演の評論記事を、公演（映画、演劇、コンサート等）を見た直後に容易にオンライン新聞に掲載するために適用した場合における処理の流れを示すデータ遷移図である。
【０１２５】
まず、公演を鑑賞する編集者Ｈは、チケット会社からチケットを購入する（Ｓ７１）。このチケット会社には、店舗・遊技場システム５８が備えられており、この店舗・遊技場システム５８は、イベント管理装置５９（＃ｃ）が編集者Ｈに対して識別番号を割り当て（Ｓ７２）、この識別番号と、公演前に把握している公演情報（公演名、場所、時間等）とを関連付けて利用実績データベース５９（＃ｄ）に格納するとともに、通信ネットワーク１０を介して、サーバ１４に向けてこの識別番号および公演情報を送信する（Ｓ７３）。
【０１２６】
一方、サーバ１４には、編集者Ｈによって発行されているオンライン新聞が予め登録されている。したがって、ステップＳ７３で、識別番号および公演情報が送信されると、この識別番号に基づいて、この編集者Ｈが認証され、これら情報は、この編集者Ｈが発行するオンライン新聞の紙面情報データベース５１に格納される（Ｓ７４）。
【０１２７】
公演後は、更に、チケット会社または公演主催者の店舗・遊技場システム５８から、必要に応じて、編集者Ｈの識別番号とともに、公演前に把握できなかった情報である公演後データ（出演者、監督、曲名、曲順等）がサーバ１４に対して送信される（Ｓ７５）。これら情報もまた同様にして紙面情報データベース５１に格納される（Ｓ７６）。これによって、編集者Ｈのサーバ１４への情報入力の作業量を著しく減少させることが可能となる。
【０１２８】
サーバ１４は出演者、曲名等のデータに関連の深い音楽ＣＤ、映画ＤＶＤ等の関連商品を販売しているネットショップシステム６０の該当商品ページへのリンク情報の紙面情報データベース５１への格納も行う。
【０１２９】
その後は、編集者Ｈが、編集者端末５２を操作することによって、自分で作成したコメント情報などをサーバ１４に送信し、紙面情報データベース５１に格納することができる。この場合、まず、編集者Ｈは、編集者端末５２からサーバ１４にアクセスすることによって、コメント情報の作成を要求する（Ｓ７７）。これに対して、サーバ１４から、ステップＳ７４およびステップＳ７６において紙面情報データベース５１に格納されたデータが、編集者端末５２へと送信され、ここから表示される（Ｓ７８）。
【０１３０】
この表示例を図１５に示す。図１５に示すように、ここには、ステップＳ７３およびステップＳ７５において店舗・遊技場システム５８から送信された情報１８１が既に書き込まれている。１８２は、コメント入力欄である。編集者Ｈは、このコメント入力欄１８２にコメントを入力し、ＯＫボタン１８３をマウス（図示せず）を用いてクリックする等により、サーバ１４に送信する（Ｓ７９）ことによって、紙面情報データベース５１の内容が、この情報に更新される（Ｓ８０）。これによって、オンライン新聞の記事もまた更新される。
【０１３１】
以上説明したように、オンライン新聞更新システムを、店舗・遊技場システム５８と連動させることによって、編集者の入力作業を極力減らしながら、情報を迅速に更新することが可能となる。
【０１３２】
（第４の実施の形態）
本発明の第４の実施の形態を説明する。
【０１３３】
本実施の形態に係るオンライン新聞更新方法を適用したオンライン新聞更新システムもまた、第１の実施の形態に係るオンライン新聞更新方法を適用したオンライン新聞更新システムの一適用例を示すものであって、その構成を、第１の実施の形態に係るオンライン新聞更新方法を適用したオンライン新聞更新システムと同一とする。したがって、ここでもまた、構成に関する記載を省略する。
【０１３４】
本実施の形態では、第１の実施の形態で説明したようなオンライン新聞を用いて、店舗・遊技場システム５８と連携した別の例について説明する。
【０１３５】
図１６は、ボーリング場や、ゴルフ場、カラオケボックスといった遊技場にて大会や練習等のイベントを行うために適用した場合における処理の流れを示すデータ遷移図である。
【０１３６】
この種のイベント会場でイベントを開催するには、予め会場を予約しておくことが賢明である。そこで、まず、編集者端末５２からサーバ１４に対して、自己のユーザ識別情報を入力するとともに、イベント会場予約用の画面を送信するよう要求する（Ｓ９１）。なお、サーバ１４は、この種のイベント会場の店舗・遊技場システム５８との通信ネットワーク１０を介しての接続がなされ、任意の編集者端末５２からの予約を受け付け、それを該当するイベント会場に備えられた店舗・遊技場システム５８に問い合わせ、予約手続きを行い、その結果を編集者端末５２に返信する予約仲介機能（図示せず）を予め備えておくものとする。
【０１３７】
サーバ１４では、ステップＳ９１で入力されたユーザ識別情報に基づいて、ユーザ認証部２６においてユーザ認証がなされる。また、ステップＳ９１でなされた要求に基づいて、予約仲介機能が、要求元の編集者端末５２に予約画面を送信する（Ｓ９２）。それに対して、編集者は、編集者端末５２に表示された予約画面に基づいて必要な情報（日時、希望会場、使用人数、予算、その他のオプション等）を入力し、これをサーバ１４に返信する（Ｓ９３）。
【０１３８】
サーバ１４の予約仲介機能は、これを受信すると、その内容に応じて、この入力情報を、該当するイベント会場の店舗・遊技場システム５８に送信する（Ｓ９４）。店舗・遊技場システム５８では、端末５９（＃ａ）においてこの入力情報を受信する。そして、この店舗・遊技場システム５８のイベント管理装置５９（＃ｃ）が、この入力情報に基づいて、予約処理を行い（Ｓ９５）、予約可能である場合には、サーバ１４に対して予約確定情報を送信する（Ｓ９６）とともに、この予約確定情報を利用実績データベース５９（＃ｄ）にも格納する。一方、予約可能でない場合には、図示していないが、サーバ１４に対して予約不可情報を送信する。この予約付加情報は、更にサーバ１４によって編集者端末５２に送信され、編集者は、編集者端末５２からこれを見ることによって、予約できなかったことを認識できるようにしている。
【０１３９】
さて、ステップＳ９６にて予約確定情報が送信されると、関連情報取得部３２は、これを関連情報として扱い、ステップＳ９２にてなされたユーザ認証結果に基づいて、この編集者のオンライン新聞の紙面情報データベース５１に格納する（Ｓ９７）。これによって、オンライン新聞の紙面情報に、この予約確定情報が掲載されるようになるので、読者は、オンライン新聞を閲覧することによって、イベントの開催日時や開催場所といったイベントの内容を把握することができる。
【０１４０】
更に、ステップＳ９６にてサーバ１４に対して送信された予約確定情報が、予約希望した編集者端末５２に送信される（Ｓ９８）。編集者は、編集者端末５２からこれを見ることによって、予約が確定したことを認識する。
【０１４１】
なお、本実施の形態は、上述したような予約手続きを行わずにイベントを行う場合にも適用でき、その場合には以下に示すステップＳ１００以降の処理のみが対象となる。
【０１４２】
イベント当日になり、編集者がこのイベント会場を訪れると、編集者は、自分のオンライン新聞のユーザ認証情報をイベント会場側に通知する（Ｓ１００）。これは、口頭で伝えても、また会員証のようなものを提示することによって行っても、あるいはこのユーザ認証情報を記録したＩＣカード等の記録媒体を提示するなどいかなる方法でもよい。なお、記録媒体を提示することによって行える場合には、この店舗・遊技場システム５８が、カードリーダのような読取装置を備えている場合に限られる。
【０１４３】
このユーザ認証情報は、店舗・遊技場システム５８の端末５９（＃ａ）から通信ネットワーク１０を介してサーバ１４に送信される。その場合、ユーザ認証情報と共に、編集者が編集するオンライン新聞の読者の情報の取得要求も同時に送信する（Ｓ１０１）。これに対して、サーバ１４では、この編集者のユーザ認証が行われ、認証が完了すると、この店舗・遊技場システム５８に向けて読者の情報が送信される（Ｓ１０２）。
【０１４４】
この読者の情報は、店舗・遊技場システム５８によって受信され、イベント管理装置５９（＃ｃ）によって活用される。例えば、このイベント会場がボーリング場であり、イベント管理装置５９（＃ｃ）が自動スコアシステムを備えている場合には、読者の氏名が、この自動スコアシステムに反映される（Ｓ１０３）。
【０１４５】
そして、イベントが開始されると、イベントの進行に応じてデータがイベント管理装置５９（＃ｃ）によって取得され、更に通信ネットワーク１０を介してサーバ１４にも送信される。例えば、イベントがボーリングの場合、ゲームの進行とともに自動スコアシステムによって記録されるスコア情報が、通信ネットワーク１０を介してサーバ１４にも随時送信される。イベントがカラオケである場合、曲目や、更に得点システム付きのカラオケマシンの場合には、その得点がそれぞれ送信される（Ｓ１０４）。なお、自動スコアシステムを備えていない場合には、端末５９（＃ａ）を介してスコア情報を入力し、この入力された情報を端末５９（＃ａ）から通信ネットワーク１０を介してサーバ１４に送信するようにしてもよい。例えば、ゴルフ場にて、キャディやプレーヤ自身が、携帯電話等からホール毎にスコアを入力する場合もこれに該当する。
【０１４６】
サーバ１４では、ステップＳ１０４で送信された情報が、ステップＳ１０２にてなされたユーザ認証結果に基づいて、この編集者のオンライン新聞の紙面情報データベース５１に格納される（Ｓ１０５）。これによって、オンライン新聞の紙面情報が随時更新されるようになるので、イベントに参加してない読者も、オンライン新聞を閲覧することによって、イベントの進行具合を把握することができる。
【０１４７】
送信されたデータが曲名の場合、関連の深い音楽ＣＤ等の関連商品を販売しているネットショップ６０の該当商品ページのリンク情報も紙面情報データベース５１に格納する。
【０１４８】
また、過去のスコア情報が、利用実績データベース５９（＃ｄ）に格納されている場合には、このスコア情報を、サーバ１４に送信することによって、同一の読者の過去のスコアを一覧したスコア履歴を紙面情報として紙面情報データベース５１に格納させ、これをオンライン新聞に掲載することも可能となる。
【０１４９】
以上説明したように、オンライン新聞更新システムを、店舗・遊技場システム５８と連動させることによって、イベントの進行とともに変化するスコア等の情報を、自動的に迅速に更新することが可能となる。これによって、オンライン新聞の紙面情報が随時更新されるようになるので、イベントに参加してない読者も、オンライン新聞を閲覧することによって、イベントの進行具合を把握することが可能となる。
【０１５０】
また、上記オンライン新聞更新システムは、ゴルフコンペのスコア計算の煩わしさを著しく軽減できるシステムとしても好適に利用できる。特に、参加者が多数のゴルフコンペにおいても素早く中間結果を把握することが可能となる。
【０１５１】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【０１５２】
【図１】第１の実施の形態に係るオンライン新聞更新方法を適用したオンライン新聞更新システムが適用されるネットワーク環境の一例を示す概念図。
【図２】サーバの詳細構成例を示す機能ブロック図。
【図３】画面表示されたユーザ認証情報の一例を示す模式図（個人の場合）。
【図４】画面表示されたユーザ認証情報の一例を示す模式図（団体の場合）。
【図５】ユーザ登録処理の動作を示すデータ遷移図。
【図６】記事情報の更新時に編集者端末からなされた表示画面の一例を示す模式図。
【図７】閲覧要求した読者の趣向に基づいて、記事を付加した紙面データの作成時における動作を示すデータ遷移図。
【図８】読者端末から表示されたオンライン新聞の画面表示例を示す模式図。
【図９】オンライン新聞更新システムを市民マラソン大会の参加者募集及び結果報告に用いた場合の動作を示すデータ遷移図。
【図１０】団体から一括申込みを行う場合の入力画面の一例を示す模式図。
【図１１】掲載可能問合部によってなされる問合処理時の動作を示すデータ遷移図。
【図１２】オンライン新聞更新システムを用いてスポーツの対戦相手を募集し、対戦相手を決定し、対戦結果をリアルタイムで公開する場合の動作を示すデータ遷移図。
【図１３】野球のスコア入力画面の一例を示す模式図。
【図１４】オンライン新聞更新システムを、公演の評論記事の掲載に適用した場合における処理の流れを示すデータ遷移図。
【図１５】編集者端末に画面表示されたコメント入力用画面の一例を示す模式図。
【図１６】オンライン新聞更新システムを、イベントに適用した場合における処理の流れを示すデータ遷移図。
【符号の説明】
【０１５３】
１０…通信ネットワーク、１２…センター、１４…サーバ、１６…端末、１８…内部ネットワーク、２０…制御部、２０…転送部、２２…通信部、２４…ユーザ認証情報受信部、２６…ユーザ認証部、２８…記事受信部、３０…キーワード抽出部、３２…関連情報取得部、３４…掲載可能判定部、３６…紙面変更部、３８…掲載可能問合部、４０…閲覧要求受信部、４２…紙面データ更新部、４４…紙面データ送信部、４６…ユーザ認証情報データベース、４８…キーワード規則データベース、５０…キーワード規則データベース、５１…紙面情報データベース、５２…編集者端末、５４…読者端末、５６…新聞社システム、５７ａ…端末、５７ｂ…サーバ、５８…店舗・遊技場システム、５９（＃ａ）…端末、５９（＃ｂ）…内部ネットワーク、５９（＃ｃ）…イベント管理装置、５９（＃ｄ）…利用実績データベース、６０…ネットショップシステム、６０ａ…端末、６０ｂ…サーバ
【図１】
2005267385.tif 000003
【図２】
2005267385.tif 000004
【図３】
2005267385.tif 000005
【図４】
2005267385.tif 000006
【図５】
2005267385.tif 000007
【図６】
2005267385.tif 000008
【図７】
2005267385.tif 000009
【図８】
2005267385.tif 000010
【図９】
2005267385.tif 000011
【図１０】
2005267385.tif 000012
【図１１】
2005267385.tif 000013
【図１２】
2005267385.tif 000014
【図１３】
2005267385.tif 000015
【図１４】
2005267385.tif 000016
【図１５】
2005267385.tif 000017
【図１６】
2005267385.tif 000018